(57)【要約】【課題】      色や模様のムラを生じることなく、様々な基材の表面に均一で意匠性の高い外観と長期に渡る芳香性を付与できる化粧シートを提供する。【解決手段】  少なくとも、化粧フィルム(2)の表面に、芳香剤(31)を内包したマイクロカプセル(3)を含有する樹脂フィルム(4)が積層一体化されていることを特徴とするマイクロカプセル含有化粧シート(1)とする。【選択図】図１
2005125573.tif 000002
【特許請求の範囲】
【請求項１】
少なくとも、化粧フィルムの表面に、芳香剤を内包したマイクロカプセルを含有する樹脂フィルムが積層一体化されていることを特徴とするマイクロカプセル含有化粧シート。
【請求項２】
マイクロカプセルは、防カビ剤および／または抗菌剤を内包する請求項１のマイクロカプセル含有化粧シート。
【請求項３】
マイクロカプセルは、除放性を有する請求項１または２のいずれかのマイクロカプセル含有化粧シート。
【請求項４】
マイクロカプセルは、補修塗料を内包する請求項１ないし３のいずれかのマイクロカプセル含有化粧シート。
【請求項５】
マイクロカプセルは、樹脂フィルムの表面付近に分布して含有される請求項１ないし４のいずれかのマイクロカプセル含有化粧シート。
【発明の詳細な説明】
【技術分野】
【０００１】
この出願の発明は、芳香剤を内包するマイクロカプセルを含有する化粧シートに関するものである。さらに詳しくは、この出願の発明は、化粧フィルムの表面に、芳香剤を内包したマイクロカプセルを含有する樹脂フィルムが積層一体化されているマイクロカプセル含有化粧シートに関するものである。
【背景技術】
【０００２】
従来、内装材や建具には杉や檜等の天然木材が多く使用され、それらより発散される香りは心地よい芳香として広く親しまれてきた。しかし、近年の建築物では、それら天然材に代わり合板や無機質板、樹脂板あるいはプリント紙が軽量で安価な建材として使用されており、天然材特有の芳香が失われている。また、木材を薄くシート状に切削し、合板、無機質板、樹脂板等の基材にラミネートした木質建材においても、耐久性や防水性を付与する目的で、ハードコートやクリア塗装等が施されており、芳香が失われているのが実情である。
【０００３】
一方、最近、緊張緩和や疲労回復、精神安定などへの香りの効果が注目されており、アロマテラピーを日常生活に取り入れる人が増えている。
【０００４】
そこで、芳香性を有する機能性建材が検討され、市販されている。具体的には、芳香成分を内包するマイクロカプセルを含有する塗膜形成体を、合成樹脂基材の表面に施した放香性合成樹脂成形体が報告されている。（特許文献１）
しかし、このような従来の放香性合成樹脂成形体では、合成樹脂基材の色や模様にムラが生じやすいため、現場施工において複数枚の放香性合成樹脂成形体を隣接させた際に色の違いが顕著となり、意匠性が損なわれるという問題があった。また、均一な色や模様を得るために化粧塗装を施した場合には、マイクロカプセルが塗料に覆われるため、芳香成分が放出されなくなるという問題があった。さらに、このような放香性合成樹脂成形体は、適用できる箇所や用途が限定されるという問題もあった。
【特許文献１】特開平１０−３２９２７５
【発明の開示】
【発明が解決しようとする課題】
【０００５】
そこで、この出願の発明は、以上のとおりの事情に鑑みてなされたものであり、従来技術の問題点を解消し、色や模様のムラを生じることなく、様々な基材の表面に均一で意匠性の高い外観と長期に渡る芳香性を付与できるマイクロカプセル含有化粧シートを提供することを課題としている。
【課題を解決するための手段】
【０００６】
この出願の発明は、上記の課題を解決するものとして、第１には、少なくとも、化粧フィルムの表面に、芳香剤を内包したマイクロカプセルを含有する樹脂フィルムが積層一体化されていることを特徴とするマイクロカプセル含有化粧シートを提供する。
【０００７】
また、この出願の発明は、第２には、マイクロカプセルが防カビ剤および／または抗菌剤を内包する前記のマイクロカプセル含有化粧シートを提供する。
【０００８】
この出願の発明は、第３には、マイクロカプセルが除放性を有する前記いずれかのマイクロカプセル含有化粧シートを提供する。
【０００９】
さらに、この出願の発明は、第４には、マイクロカプセルが補修塗料を内包する前記いずれかのマイクロカプセル含有化粧シートを提供する。
【００１０】
そして、この出願の発明は、第５には、マイクロカプセルが樹脂フィルムの表面付近に分布して含有される前記いずれかのマイクロカプセル含有化粧シートをも提供する。
【発明の効果】
【００１１】
上記第１の発明のマイクロカプセル含有化粧シートでは、化粧フィルムの表面に、芳香剤を内包したマイクロカプセルを含有する樹脂フィルムが積層一体化されていることから、これを各種の基材に接着することにより、色や模様にムラのない均一な外観を有し、長期に渡り芳香を放つ建材を得ることができる。
【００１２】
また、上記第２の発明のマイクロカプセル含有化粧シートでは、マイクロカプセルが、芳香剤に加えて、防カビ剤や抗菌剤を内包することから、これを基材に接着して得られる建材や該建材の周辺環境においても防カビ効果や抗菌効果が発揮される。
【００１３】
さらに、上記第３の発明のマイクロカプセル含有化粧シートでは、マイクロカプセルが除放性であることから、芳香剤、防カビ剤、抗菌剤等がゆっくりと放散され、芳香や防カビ効果、あるいは抗菌効果が長期に渡り持続する。
【００１４】
上記第４の発明のマイクロカプセル含有化粧シートでは、マイクロカプセルが芳香剤に加えて補修塗料を内包するため、マイクロカプセル含有化粧シートの表面に傷が付いた場合には、マイクロカプセルが破れ、補修塗料が流出して傷部分を埋める。したがって、誤って傷がついた場合でも、傷を目立たなくさせることができ、長期に渡り高い意匠性が保持される。
【００１５】
上記第５の発明のマイクロカプセル含有化粧シートでは、マイクロカプセルが、とくに樹脂フィルムの表面付近に分布しているため、芳香が十分に放散される。また、防カビ剤、抗菌剤、補修塗料の効果も発揮されやすくなる。
【発明を実施するための最良の形態】
【００１６】
この出願の発明のマイクロカプセル含有化粧シート（1）を図１〜３に例示した。この出願の発明のマイクロカプセル含有化粧シート（1）は、化粧フィルム（2）の表面に、芳香剤（31）を内包したマイクロカプセル（3）を含有する樹脂フィルム（4）が積層一体化されてなるものである。
【００１７】
この出願の発明のマイクロカプセル含有化粧シート（1）において、化粧フィルム（2）としては、木目、布地、岩肌等の所望の模様を印刷した紙、布、不織布、樹脂フィルム等が例示される。このような化粧フィルム（2）は、模様の印刷された１層からなるものであってもよいし、模様の印刷された層に樹脂等でコーティングを施したもの、あるいは模様の印刷された層が複数積層されてなるものであってもよい。
【００１８】
このような化粧フィルム（2）の上に積層一体化される樹脂フィルム（4）は、化粧フィルム（2）の模様が十分に認識できる程度の透明性を有するものであればよく、その材質や厚さはとくに限定されない。具体的には、ポリエチレン（PE）、ポリプロピレン（PP）、ポリ塩化ビニル（PVC）、ポリ塩化ビニリデン（PVDC）、ポリ酢酸ビニル（PVAc）、ポリスチレン（PS）、ポリエチレンテレフタレート（PET）、ポリメタクリル酸メチル（PMMA）、ポリウレタン（PU）、フッ素樹脂（PFA、PCTFE）等の樹脂製フィルムが例示される。樹脂フィルム（4）の材質については、さらに、所望の表面特性（耐水性、防汚性、耐久性、強度など）を考慮して適宜選択される。
【００１９】
なお、樹脂フィルム（4）の厚さは、用途や材質の特徴に応じて、耐水性、防汚性、耐久性、強度などの表面特性を得る上で必要な厚さとすることができる。樹脂フィルム（4）には、芳香剤（31）を内包したマイクロカプセル（3）が含有されることから、少なくともマイクロカプセル（3）の粒径よりも厚いものとする。
【００２０】
この出願の発明のマイクロカプセル含有化粧シート（1）において、樹脂フィルム（4）は、マイクロカプセル（3）を含有しており、このマイクロカプセル（3）は、芳香剤（31）を含有する。このようなマイクロカプセル（3）としては、無機質の中空多孔質マイクロカプセルや、ポリアクリロニトリル、ポリメタクリル酸等の熱可塑性樹脂製の中空マイクロカプセルや多孔質マイクロビーズ、あるいは、不飽和ポリエステル、ポリエポキシド等の熱硬化性樹脂製の中空マイクロカプセルや多孔質マイクロビーズが例示される。
【００２１】
芳香剤（31）をマイクロカプセル（3）に内包させることにより、樹脂フィルム（4）に直接芳香剤を混合した場合よりも分散性が高まると同時に、樹脂フィルム（4）に添加できる芳香剤（31）の量が増え、好ましい。
【００２２】
さらに、マイクロカプセル（3）を、除放性を有するものとすることにより、内包された芳香剤（31）がゆっくりと放散されるようになり、より長期に渡り芳香を持続できるようにもなる。
【００２３】
芳香剤（31）を内包させるマイクロカプセル（3）の粒径は、とくに限定されず、芳香剤（31）を十分に内包でき、かつ、樹脂フィルム（4）に十分に分散できる範囲、例えば、3〜30μmとすることができる。
【００２４】
また、マイクロカプセル（3）の樹脂フィルム（4）に対する含有量もとくに限定されない。マイクロカプセル含有化粧シート（1）の芳香性が十分となり、かつ、樹脂フィルム（4）の均一性やマイクロカプセル含有化粧シート（1）の強度を損なわない範囲であればよい。
【００２５】
この出願の発明のマイクロカプセル含有化粧シート（1）において、芳香剤（31）を内包したマイクロカプセル（3）を含有する樹脂フィルム（4）は、樹脂フィルム（4）の成型時にマイクロカプセル（3）を混合することにより得られる。例えば、樹脂フィルム（4）を構成する樹脂材料の粉末やペレットに芳香剤（31）を内包させたマイクロカプセル（3）を添加、混合した後、加熱およびフィルム成形する方法が例示される。
【００２６】
この出願の発明のマイクロカプセル含有化粧シート（1）において、マイクロカプセル（3）に内包される芳香剤（31）は、各種の天然芳香成分あるいは合成芳香成分から選択される１種以上の芳香成分を含有するものであればよく、とくに限定されない。具体的には、ヒノキ、ヒバ等の樹木系、レモン、ベルガモット等の柑橘系、ストロベリー、ラズベリー等の果実系、ジャスミン、ラベンダー、ローズ等の草花系、ペパーミント、スペアミント等のミント系、さらには、い草等の芳香を発散するものが例示される。このような芳香剤（31）は、植物の根、茎、枝、表皮、花びら、種子、果実等から水蒸気蒸留や圧搾法、冷浸法、パーコレーション法、溶剤抽出法等により抽出された精油であってもよく、また、精油から単離された、あるいは合成のモノテルペン炭化水素類、セスキテルペン炭化水素類、モノテルペンアルコール類、セスキテルペンアルコール類、フェノール類、アルデヒド類、ケトン類、エステル類、ラクトン類、酸化物類、含窒素化合物類等の芳香成分を調合したものであってもよい。もちろん、このような精油や芳香成分は、水やアルコール等の溶剤で希釈してもよい。
【００２７】
例えば、マイクロカプセル含有化粧シート（1）における化粧フィルム（2）の模様が木目ならば、合わせてヒノキやヒバの樹木系の芳香成分を選択し、意匠性と芳香性を一致させることができる。もちろん、目的、用途、アロマテラピー効果、あるいは使用者の好みに応じて芳香剤（31）を選択してもよい。
【００２８】
この出願の発明のマイクロカプセル含有化粧シート（1）では、図２に示されるように、マイクロカプセル（3）には、芳香剤（31）以外に、防カビ剤（32）や抗菌剤（33）を内包させてもよい。これにより、マイクロカプセル含有化粧シート（1）だけでなく、このマイクロカプセル含有化粧シート（1）を表層に有する建材（6）、それが用いられている室内等の周辺環境に対しても防カビ効果や抗菌効果を発揮させることができる。このとき、マイクロカプセル（3）を、除放性を有するものにすれば、内包された防カビ剤（32）や抗菌剤（33）が緩やかに作用するようになり、より長期に渡り効果が持続されるようになる。
【００２９】
また、図３に示されるように、マイクロカプセル（3）には、芳香剤（31）に加えて、補修塗料（34）を内包させてもよい。このようなマイクロカプセル含有化粧シート（1）では、表面に傷が生じた場合に、マイクロカプセル（3）が破れ、マイクロカプセル（3）から補修塗料（34）が流出し、傷を埋める。したがって、傷を自動的に補修し、目立たなくさせることができ、長期に渡り高い意匠性が保持される。もちろん、補修塗料（34）は、防カビ剤（32）や抗菌剤（33）と併用してもよい。
【００３０】
なお、図２および３においては、芳香剤（31）、防カビ剤（32）、抗菌剤（33）および補修塗料（34）を内包するマイクロカプセル（3）は、識別のために各々個別のマイクロカプセル（3）として示されているが、芳香剤（31）とそれ以外の成分（防カビ剤（32）、抗菌剤（33）および補修塗料（34））のマイクロカプセルへの内包は、このような形態に限定されず、一つのマイクロカプセル（3）に芳香剤（31）とそれ以外の成分が混合して内包されていてもよい。
【００３１】
さらに、この出願の発明のマイクロカプセル含有化粧シート（1）では、マイクロカプセル（3）は、樹脂フィルム（4）の表面付近（41）に分布することが望ましい。これにより、マイクロカプセル（3）に内包される各成分の効果が発揮されやすくなる。例えば、芳香剤（31）は十分に放散されるようになり、防カビ剤（32）や抗菌剤（33）の効果が十分に発揮され、小さな傷でも補修塗料（34）により修復されるようになる。
【００３２】
このようなマイクロカプセル（3）の樹脂フィルム（4）の表面付近（41）への分布は、マイクロカプセル（3）と樹脂フィルム（4）の樹脂材料の比重の違いによって実現することができる。すなわち、前記の例を挙げるならば、樹脂フィルム（4）を構成する樹脂材料の粉末やペレットに芳香剤（31）等を内包させたマイクロカプセル（3）を添加、混合した後、加熱およびフィルム成形する方法において、溶融した樹脂材料とマイクロカプセル（3）の比重の違いにより、マイクロカプセル（3）が樹脂フィルム（4）の厚みの上部（または下部）に偏るように、フィルムを成形すればよい。そして、得られた樹脂フィルム（4）を、マイクロカプセル（3）の集中している側が最外層側となるように化粧フィルム（2）に接着すればよい。
【００３３】
なお、芳香剤（31）を内包したマイクロカプセル（3）を含有する樹脂フィルム（4）は、接着剤を介して前記の化粧フィルム（2）に接着されていてもよいし、熱融着等により接着されていてもよい。
【００３４】
以上のとおりのこの出願の発明のマイクロカプセル含有化粧シート（1）は、各種の基材（5）に接着して使用される。具体的には、木材、合板、ＭＤＦ、パーティクルボード、インシュレーションボード等の木質基材、ＦＲＰ、人工大理石、樹脂成型品等のプラスチック基材、石膏ボード、珪酸カルシウム板、ロックウールボード、各種セメント板、スレート等の無機質基材が挙げられる。このようにマイクロカプセル含有化粧シート（1）を基材に接着することにより、天井、壁、床等の内装材、外壁、屋根等の外装材、キッチン、トイレ、洗面、浴室等の水回り、扉、障子、襖等の建具、窓、収納部材、およびそれらの周辺部材として用いられる各種の建材（6）が得られる。
【００３５】
このとき、マイクロカプセル含有化粧シート（1）は、基材（5）に、接着剤を塗布して接着されてもよいし、マイクロカプセル含有化粧シート（1）に予め接着層を設けておいてもよい。もちろん、熱融着等により接着させてもよい。
【００３６】
以下、実施例を示し、この発明の実施の形態についてさらに詳しく説明する。もちろん、この発明は以下の例に限定されるものではなく、細部については様々な態様が可能であることは言うまでもない。
【実施例】
【００３７】
芳香剤（ヒノキ香）を内包したマイクロカプセルをＰＥＴ樹脂と混合し、フィルムを成形した。マイクロカプセルは、ＰＥＴとの比重差によりＰＥＴフィルム表面に分布して含有された。
【００３８】
得られたＰＥＴフィルムを、マイクロカプセルが集中している側が最外層となるように、木目を印刷した化粧フィルムに接着し、マイクロカプセル含有化粧シートを得た。
【００３９】
得られたマイクロカプセル含有化粧シートを無機質板にラミネート加工し、木目調の建材を得た。
【産業上の利用可能性】
【００４０】
以上詳しく説明したとおり、この出願の発明により、色や模様のムラがなく、長期に渡り芳香性および意匠性を保持できるマイクロカプセル含有化粧シートが提供される。
【図面の簡単な説明】
【００４１】
【図１】この出願の発明のマイクロカプセル含有化粧シートの一例を示した概略模式図である。
【図２】この出願の発明のマイクロカプセル含有化粧シートの別の例を示した概略模式図である。
【図３】この出願の発明のマイクロカプセル含有化粧シートのさらに別の例を示した概略模式図である。
【符号の説明】
【００４２】
１  マイクロカプセル含有化粧シート
２  化粧フィルム
３  マイクロカプセル
31  芳香剤
32  防カビ剤
33  抗菌剤
34  補修塗料
４  樹脂フィルム
41  表面付近
５  基材
６  建材
【図１】
2005125573.tif 000003
【図２】
2005125573.tif 000004
【図３】
2005125573.tif 000005